【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
スライド部材（１１０）と、
ユーザの腕を支持するよう構成された支持部材（１３０）であって、前記スライド部材にスライド可能に連結された支持部材（１３０）と、
楽器の鍵盤（１９２）に対し並列位置にある前記スライド部材を支持するための支持手段と、を具える鍵盤練習装置（１００）であって、
前記支持部材を前記スライド部材の全長の一部に沿ってスライドさせることにより、前腕を前記支持部材上に載置した状態で座っている鍵盤楽器（１９０）の演奏者に、鍵盤の全長に沿って前腕を移動させることを可能にするよう作動可能な鍵盤練習装置（１００）。
【請求項２】
前記ユーザの前腕が鍵盤の前縁から略一定の距離を維持するよう、前記支持部材が前記スライド部材に沿って実質的に直線の経路で相互にスライド可能となるよう構成された、および／または、
前記支持部材が前記スライド部材に沿って鍵盤に対して実質的に一定の垂直高さで相互にスライド可能となるよう構成された、請求項１に記載の装置。
【請求項３】
前記支持部材が前記スライド部材に沿って略湾曲した経路で相互にスライド可能となるよう構成された、および／または、
前記支持部材が前記スライド部材に沿って鍵盤の前縁から実質的に一定の側方距離で相互にスライド可能となるよう構成された、請求項１または２に記載の装置。
【請求項４】
前記支持部材が前記スライド部材に取り外し可能に取り付けられており、随意的に、前記支持部材は迅速解除機構によって前記スライド部材に取り外し可能に取り付けられている、請求項１〜３のいずれか一項に記載の装置。
【請求項５】
前記支持部材は前記スライド部材に沿ってスライド可能な搬送部材（１３２）によって前記スライド部材に取り付けられており、随意的に、前記支持部材は好適には迅速解除機構によって前記搬送部材に取り外し可能に取り付けられている、請求項１〜４のいずれか一項に記載の装置。
【請求項６】
前記スライド部材は少なくとも１個のトラック部材を具え、前記搬送部材は前記トラック部材に連結するよう構成されている、請求項５に記載の装置。
【請求項７】
前記支持部材は、前記装置が鍵盤楽器に取り付けられることを可能にするよう構成されており、これにより前記鍵盤と並列位置にある前記スライド部材を支持し、随意的に、前記支持部材は前記装置が前記楽器に取り外し可能に取り付けられることを可能にするよう構成されている、請求項１〜６のいずれか一項に記載の装置。
【請求項８】
前記装置は、鍵盤楽器に立てかけるよう配置され、これにより実質的に直立方向に支持され、および／または、前記支持手段は前記装置が自立構成で配置されることを可能にするよう構成されている、請求項１〜７のいずれか一項に記載の装置。
【請求項９】
前記スライド部材の鍵盤からの側方距離は、好ましくはねじ機構によって、調整可能であり、および／または、
前記鍵盤に対する前記スライド部材の垂直高さは、好ましくはねじ機構によって、調整可能である、請求項７または８に記載の装置。
【請求項１０】
前記支持部材は、前記ユーザの腕用の快適なレストを提供するよう構成された略Ｕ字型部材の形態であり、随意的に、前記支持部材は、前記ユーザの腕の下または前記ユーザの腕の一方の側面もしくは両側面のいずれかより選択される少なくとも１箇所に配置されるよう構成されている少なくとも１個のパッド部を具える、請求項１〜９のいずれか一項に記載の装置。
【請求項１１】
前記支持部材は、前記スライド部材に対して、軸線、好ましくは実質的に垂直軸線の回りを回転可能となるよう構成されている、請求項１〜１０のいずれか一項に記載の装置。
【請求項１２】
複数の支持部材を具える、請求項１〜１１のいずれか一項に記載の装置。
【請求項１３】
一方の支持部材の前記スライド部材に沿ったスライド動作が、他方の支持部材の前記スライド部材に沿ったスライド動作をもたらすよう、互いに連結された２個の支持部材を有し、随意的に、前記２個の支持部材が互いに弾性的に連結されており、および／または、随意的に、前記２個の支持部材は互いに剛体的に連結されている、請求項１２に記載の装置。
【請求項１４】
前記支持部材がユーザの必要に応じて部材間においてそれぞれ異なる距離を有しながら互いに連結するのを可能にするよう構成されており、随意的に、記支持部材は、３度、４度、５度、６度、７度および８度のうちから選択された少なくとも一つに対応する前記支持部材間において所定の距離で互いに連結される、請求項１３に記載の装置。
【請求項１５】
前記ユーザの対応する腕が前記支持部材（１３０）上に載置している際、前記ユーザの手を支持するよう構成されたハンドレスト部材（２００）をさらに具え、随意的に、前記ハンドレスト部材は前記支持部材と接続しており、好ましくは、前記ハンドレスト部材は前記支持部材と取り外し可能に接続している、請求項１〜１４のいずれか一項に記載の装置。
【請求項１６】
前記ハンドレスト部材は、ブーム要素（２１０）であってその第１端において前記支持部材に接続しているブーム要素と、前記ブーム要素の第２端において前記サポート要素と接続しているパッド部材であって、前記ユーザの手と接触することにより前記手を支持するよう構成されているパッド部材とを具え、随意的に、前記パッド部材は、ユーザの掌を支持するよう成形かつ構成されており、および／または、随意的に、前記支持部材に対する前記パッド部材の位置は、垂直面および／または水平面で調整可能である、請求項１５に記載の装置。
【請求項１７】
ユーザの手首が、前記スライド部材に対して平行な垂直面にて略円または楕円並進運動を描くのを可能にするよう構成された回転装置をさらに具え、随意的に、前記回転装置は、さらに前記支持部材を円形または楕円形並進運動の一周期にわたって略直立方向に保持するよう構成されている、請求項１〜１６のいずれか一項に記載の装置。
【請求項１８】
前記回転装置は平行リンク機構を具え、随意的に、前記平行リンク機構のうち少なくとも１個のリンクは回転可能なディスク要素の形態で提供されており、および／または、随意的に、前記平行リンク機構の略平行な一対のリンクは対応する一対の互いに離間した回転可能なディスク要素（２２０）によって提供されており、前記ディスク要素は互いに平行な軸線の回りを回転可能となるよう構成されている、請求項１７に記載の装置。
【請求項１９】
前記ディスク要素は前記搬送部材と回転可能に連結しており、随意的に、前記ディスク要素は旋回部材（２４０）と回転可能に連結しており、前記旋回部材は前記搬送部材に対して、正常使用のために配向された前記装置の略垂直軸線の回りを回転可能となるよう構成されている、請求項１８に記載の装置。
【請求項２０】
前記支持部材にはストラップ部材（２３０）が設けられ、前記ストラップ部材は、ユーザの腕を前記支持部材に固定し、これにより前記ユーザの腕が前記支持部材から不用意に脱落することを防ぐよう構成されている、請求項１〜１９のいずれか一項に記載の装置。
【請求項２１】
請求項１〜２０のいずれか一項に記載の装置を具える楽器であり、随意的に、少なくとも前記スライド部材が、不要時に収納されるよう構成可能であり、好ましくは、前記スライド部材が、前記楽器の内部、下部または上部に格納されることにより収納可能であり、または前記楽器の内部、下部または上部に折り畳まれることにより収納可能であり、および／または、随意的に、実質的に前記装置全体が収納可能であり、および／または、随意的に、前記装置が前記楽器と一体化して設けられている、楽器。
【手続補正２】
【補正対象書類名】明細書
【補正対象項目名】発明の名称
【補正方法】変更
【補正の内容】
【発明の名称】鍵盤練習装置および楽器